(57)【特許請求の範囲】
【請求項１】
被検体に対するＸ線の線量情報に応じて、被検体の被曝領域及びその被曝領域内の被曝線量を示す被曝線量画像を生成する画像生成部と、
前記被検体を示す被検体画像上に前記被曝線量画像を表示する表示部と、
を備え、
前記表示部は、前記被検体画像及び前記被曝線量画像に加え、Ｘ線の線量値の増加及び時間の経過に応じて色が変わる線量チャートを表示し、
前記画像生成部は、前記被検体の被曝日時及び前記被曝線量に対応する、前記線量チャート内の色を用いて、前記被曝線量画像を生成することを特徴とする医用画像表示装置。
【請求項２】
前記被検体画像は、前記被検体の体形を平面で示すＸ線画像であることを特徴とする請求項１記載の医用画像表示装置。
【請求項３】
前記画像生成部は、前記被曝領域内の体軸方向の被曝線量変化を示す被曝線量画像を生成することを特徴とする請求項１又は２記載の医用画像表示装置。
【請求項４】
前記画像生成部は、前記被検体に対する検査結果情報を元に前記Ｘ線の線量情報を生成し、その線量情報から前記被曝線量画像を生成することを特徴とする請求項１ないし３のいずれか一に記載の医用画像表示装置。
【請求項５】
前記画像生成部は、前記被検体に対する複数の検査結果情報を組み合わせて前記Ｘ線の線量情報を生成し、その線量情報から前記被曝線量画像を生成することを特徴とする請求項１ないし３のいずれか一に記載の医用画像表示装置。
【請求項６】
前記画像生成部は、前記被検体に対する検査結果情報に含まれる被曝日時を用いて前記被曝線量画像を生成することを特徴とする請求項１ないし５のいずれか一に記載の医用画像表示装置。
【請求項７】
前記画像生成部は、前記被検体に対する検査計画情報を元に前記Ｘ線の線量情報を生成し、その線量情報から前記被曝線量画像を生成することを特徴とする請求項１ないし６のいずれか一に記載の医用画像表示装置。
【請求項８】
前記画像生成部は、前記被検体に対する複数の検査計画情報を組み合わせて前記Ｘ線の線量情報を生成し、その線量情報から前記被曝線量画像を生成することを特徴とする請求項１ないし６のいずれか一に記載の医用画像表示装置。
【請求項９】
前記画像生成部は、前記被検体に対する検査結果情報及び検査計画情報を組み合わせて前記Ｘ線の線量情報を生成し、その線量情報から前記被曝線量画像を生成することを特徴とする請求項１ないし６のいずれか一に記載の医用画像表示装置。
【発明の詳細な説明】
【技術分野】
【０００１】
本発明の実施形態は、医用画像表示装置に関する。
【背景技術】
【０００２】
医用画像表示装置は、Ｘ線ＣＴ装置（Ｘ線コンピュータ断層撮像装置）に代表されるＸ線診断装置などの医用画像撮像装置により撮像された被検体の医用画像を表示する表示装置である。この医用画像表示装置の中には、被検体が被曝した線量値（数字）を表示する医用画像表示装置も存在する。
【０００３】
通常、被検体の線量情報は、照射録やサマリレポートファイル、ＤｏｓｅＳＲ（放射線量構造化レポーティング）ファイルなどにより管理されている。この線量情報に基づいて被検体の線量値が被検体のヘッド（頭）やそのヘッド以外のボディ（体）に分けられて表示される。このような線量値としては、例えば、検査ごとの最大線量やトータル線量、さらに、全検査の最大線量やトータル線量などがある。
【０００４】
ここで、前述の医用画像撮像装置は、患者などの被検体にＸ線を照射してその被検体を透過したＸ線量を検出し、そのＸ線量に基づいたＸ線透過データに対する再構成処理により被検体の断層画像（スライス画像）を得る装置である。この医用画像撮像装置としては、例えば、Ｘ線照射器とＸ線検出器とを対向配置し、それらを被検体の体軸まわりに回転させながら撮像を行うＸ線ＣＴ装置が開発されている。
【０００５】
このＸ線ＣＴ装置では、通常、マルチスライススキャンやヘリカルスキャンなどのスキャン前に、撮像範囲（スキャン範囲）を設定するため、Ｘ線照射器及びＸ線検出器を回転させずに撮像を行い、位置決め画像（スキャノ画像）を取得する。また、その位置決め画像を用いてＸ線照射器に供給する最適な管電流を算出する機能（例えば、Ｒｅａｌ−ＥＣと呼ばれる機能）がある。この機能は、被検体の各部位の体厚に合ったＸ線量を自動的に計算し、回転ごとにＸ線量を細かく制御する機能である。これにより、高画質を維持しつつ不要な被曝を抑えることが可能となり、被曝低減を実現することができる。
【先行技術文献】
【特許文献】
【０００６】
【特許文献１】特開平７−１２４１５２号公報
【発明の概要】
【発明が解決しようとする課題】
【０００７】
しかしながら、前述のように線量値がヘッドとボディとの区分だけで数字により表示される場合には、被検体の実際の被曝領域や被曝線量の強弱が直感的にわからないという問題がある。例えば、頭部の一部分だけが被曝した場合でも、ヘッド全体の被曝線量として線量値が表示されてしまう。同様に、胸部の一部分だけが被曝した場合でも、ボディ全体の被曝線量として線量値が表示されてしまう。このように被検体の被曝領域及び被曝線量の強弱を直感的に把握することはほぼ不可能である。
【０００８】
本発明が解決しようとする課題は、被検体の被曝領域及び被曝線量の強弱を直感的に把握することができる医用画像表示装置を提供することである。
【課題を解決するための手段】
【０００９】
実施形態に係る医用画像表示装置は、被検体に対するＸ線の線量情報に応じて、被検体の被曝領域及びその被曝領域内の被曝線量を示す被曝線量画像を生成する画像生成部と、被検体を示す被検体画像上に被曝線量画像を表示する表示部とを備える。表示部は、被検体画像及び被曝線量画像に加え、Ｘ線の線量値の増加及び時間の経過に応じて色が変わる線量チャートを表示し、画像生成部は、被検体の被曝日時及び被曝線量に対応する、線量チャート内の色を用いて、被曝線量画像を生成する。
【図面の簡単な説明】
【００１０】
【図１】実施の一形態に係る医用画像表示装置の概略構成を示す図である。
【図２】被検体の胸部に関する被曝線量画像の生成を説明するための説明図である。
【図３】被検体の腹部に関する被曝線量画像の生成を説明するための説明図である。
【図４】被検体の頭部に関する被曝線量画像の生成を説明するための説明図である。
【図５】被検体の胸部、腹部及び頭部に関するトータルの被曝線量画像の生成を説明するための説明図である。
【図６】画像生成処理の流れを示すフローチャートである。
【図７】被検体の胸部に関する他の被曝線量画像の生成（第１変形例）を説明するための説明図である。
【図８】被検体の胸部に関する他の被曝線量画像の生成（第２変形例）を説明するための説明図である。
【発明を実施するための形態】
【００１１】
実施の一形態について図面を参照して説明する。
【００１２】
図１に示すように、本実施形態に係る医用画像表示装置１は、各部を制御する制御部２と、各種データを記憶するメモリ３と、医用画像などの各種画像を表示する表示部４と、操作者により操作される操作部５と、被検体の検査結果情報を記憶する検査結果情報記憶部６と、画像データを記憶する画像記憶部７と、各種画像を生成する画像生成部８とを備えている。
【００１３】
制御部２は、メモリ３に記憶された各種プログラムや各種データに基づいて各部を制御する。例えば、制御部２は、各種プログラムや各種データに基づいて、データ計算やデータ加工などを行う一連のデータ処理や医用画像を表示する表示処理などを実行する。この制御部２としては、例えば、ＣＰＵ（Central Processing Unit）などを用いることが可能である。
【００１４】
メモリ３は、制御部２が実行する起動プログラムなどの各種プログラムや各種データを記憶する。このメモリ３は制御部２のワークエリアとしても機能する。なお、起動プログラムは、医用画像表示装置１の起動時に制御部２により読み出されて実行される。このメモリ３としては、ＲＯＭ（Read Only Memory）やＲＡＭ（Random Access Memory）、半導体ディスク装置（フラッシュメモリ）などを用いることが可能である。
【００１５】
表示部４は、各種画像、例えば被爆線量に係る画像や二次元のＸ線画像などの医用画像をカラー表示する表示装置である。この表示部４としては、例えば、液晶ディスプレイやＣＲＴ（ブラウン管）ディスプレイなどを用いることが可能である。
【００１６】
操作部５は、操作者からの入力操作を受け付ける入力部であり、例えば、画像表示や画像の切り替え、各種設定などの様々な入力操作を受け付ける。この操作部５としては、例えば、マウスやキーボードなどの入力デバイスを用いることが可能である。
【００１７】
検査結果情報記憶部６は、例えば、照射録やサマリレポートファイル、ＤｏｓｅＳＲ（放射線量構造化レポーティング）ファイルなど、被検体が被曝したＸ線の線量に関する検査結果情報を記憶する。この検査結果情報は、検査ごとに、例えば有線又は無線のネットワークを介して検査結果情報記憶部６に入力され、患者ＩＤ（識別番号）や患者名などに関連付けられて保存されている。検査結果情報記憶部６としては、例えば、磁気ディスク装置や半導体ディスク装置（フラッシュメモリ）などを用いることが可能である。
【００１８】
画像記憶部７は、例えば、Ｘ線ＣＴ装置（Ｘ線コンピュータ断層撮像装置）などの医用画像撮像装置により得られた画像データ、例えば、スキャノ画像と呼ばれる位置決め画像を記憶する。この画像データは、検査ごとに、例えば、有線又は無線のネットワークを介して画像記憶部７に入力され、患者ＩＤや患者名などに関連付けられて保存されている。画像記憶部７としては、例えば、磁気ディスク装置や半導体ディスク装置（フラッシュメモリ）などを用いることが可能である。
【００１９】
ここで、前述の画像データを生成する医用画像撮像装置では、各種の撮像モードがあり、例えば、位置決め画像（スキャノ画像）を撮像するスキャノ撮像モードと、断層画像（スライス画像）を撮像する断層撮像モードなどがある。この断層撮影モードとしては、例えば、通常のマルチスライススキャンモード（ノーマルＣＴ）やヘリカルスキャンモード（ヘリカルＣＴ）、ボリュームスキャンモード（ボリュームＣＴ）などが挙げられる。
【００２０】
なお、スキャノ撮像モードは、断層撮像モードによる撮像に先立って、位置決めや撮像範囲（スキャン範囲）設定を行うための位置決め画像を撮像するモードである。このスキャノ撮像モードでは、Ｘ線照射器とＸ線検出器とを所定位置、例えば、０度（平面位置）のビュー角度で固定し、寝台の天板を被検体の体軸方向に移動させ、Ｘ線照射器によりＸ線を照射して天板上の被検体を透過したＸ線をＸ線検出器により検出し、Ｘ線透過データの収集を行う。その後、Ｘ線透過データを処理して位置決め画像を生成し、その位置決め画像を表示する。作業者は位置決め画像を視認して位置決めやスキャン範囲設定などを行う。
【００２１】
画像生成部８は、被検体に対する検査結果情報からＸ線の線量情報を復元し、その復元した線量情報に応じて、図２に示すような被検体の被曝領域Ｒ１及びその被曝領域Ｒ１内の被曝線量を示す被曝線量画像Ｇ１を生成する。この被曝線量画像Ｇ１は、位置決め画像Ｇ２などの他の画像と共に表示部４により表示される。
【００２２】
ここで、例えば、被検体の胸部に関する検査結果情報を用いた場合には、図２に示すように、被検体の胸部に係る被爆領域Ｒ１及びその被爆線量を示す被曝線量画像Ｇ１が位置決め画像Ｇ２上に重ねられて表示され、さらに、その位置決め画像Ｇ２の隣には、線量値の大きさを色の変化により示す線量チャートＧ３が表示される。
【００２３】
被曝線量画像Ｇ１は線量チャートＧ３内の色により被爆線量に応じて被曝領域Ｒ１を示す画像であり、位置決め画像Ｇ２は被検体（頭部、胴体及び手足などを含む全体）を示す被検体画像、すなわち被検体の体形を平面で示すＸ線画像である。また、線量チャートＧ３は、色の変化（例えば、グラデーション）により線量値の最大（Ｍａｘ）から最小（Ｍｉｎ）までを示す画像である。この線量チャートＧ３としては、例えば、グレースケールチャートやカラーチャート（可視光の赤から紫までの色（虹色）により線量値の最大から最小までを示す画像）などを用いることが可能である。
【００２４】
この線量チャートＧ３は画像生成部８による画像生成の色基準となり、画像生成部８は線量チャートＧ３内の色を用い、被曝線量に応じて色を変えて被曝線量画像Ｇ１を生成する。ここで、色は、色相、彩度及び明度の三つの属性を有しており、それらにより規定されるため、それらのうち一つの値が異なれば、色が違うといえる。ここで、色相は赤や青、緑というような色味の種類であり、彩度は色味が強いか弱いかなどの鮮やかさ（例えば、濃淡）のことである。また、明度は色味の持っている明るさである。
【００２５】
次に、被検体の腹部に関する検査結果情報を用いた場合には、図３に示すように、被検体の腹部に係る被爆領域Ｒ１及びその被爆線量を示す被曝線量画像Ｇ１が位置決め画像Ｇ２上に重ねられて表示され、前述と同様に、その位置決め画像Ｇ２の隣には、線量値の大きさを色の変化により示す線量チャートＧ３が表示される。
【００２６】
また、被検体の頭部に関する検査結果情報を用いた場合には、図４に示すように、被検体の頭部に係る被爆領域Ｒ１及びその被爆線量を示す被曝線量画像Ｇ１が位置決め画像Ｇ２上に重ねられて表示され、前述と同様に、その位置決め画像Ｇ２の隣には、線量値の大きさを色の変化により示す線量チャートＧ３が表示される。
【００２７】
このように検査ごとの検査結果情報からそれぞれの被曝線量画像Ｇ１が求められて表示部４により表示される。この被曝線量画像Ｇ１は検査部位に対応する被曝領域Ｒ１及びその被曝領域Ｒ１内の被曝線量を示すため、医師や患者などの利用者は被曝線量画像Ｇ１の領域や色の違い（色相や彩度、明度の違い）から被検体の被曝領域Ｒ１及びその被曝線量の強弱を直感的に把握することができる。
【００２８】
なお、前述の検査ごとの検査結果情報からトータルの線量情報（総合線量情報）を生成し、その生成した線量情報に基づいて、全体の被曝領域Ｒ１及びその被爆領域Ｒ１内の被曝線量を示す被曝線量画像Ｇ１を生成することも可能である。検査ごとの検査結果情報において被検体の被曝領域が重なった部分では、線量値が積算されることになる。
【００２９】
この場合には、例えば、図５に示すように、検査ごとの検査結果情報に基づくトータルの被曝線量画像Ｇ１が位置決め画像Ｇ２上に表示される。このトータルの被曝線量画像Ｇ１は、図２ないし図４に示す三つの被曝領域Ｒ１の合計線量値を示す画像であり、それらの領域が重なる部分では線量値が積算されている。
【００３０】
なお、検査ごとの検査結果情報に基づくトータルの被曝線量画像Ｇ１を生成するためには、例えば、図２ないし図４に示す三つの被曝線量画像Ｇ１を位置決め画像Ｇ２上に半透明で重ねるようにしても良い。この場合には、三つの被曝線量画像Ｇ１が重なった部分は自動的に濃くなる。
【００３１】
このような画像生成を行う画像生成部８は、電気回路などのハードウエアで構成されても良く、あるいは、これらの機能を実行するプログラムなどのソフトウエアで構成されても良い。また、ハードウエア及びソフトウエアの両方の組合せにより構成されても良い。
【００３２】
次に、前述の医用画像表示装置１が行う画像生成処理について説明する。
【００３３】
図６に示すように、操作部５に対する操作者の入力操作に応じて、対象患者が決定され（ステップＳ１）、その対象患者に対する検査結果情報が検査結果情報記憶部６から検索される（ステップＳ２）。なお、ステップＳ１では、操作者が操作部５を操作し、例えば患者ＩＤあるいは患者氏名を入力して対象患者を選択すると、この選択に応じて対象患者が決定される。
【００３４】
ステップＳ２の検索が完了すると、対象患者に対する検査結果情報の有無が判断され（ステップＳ３）、対象患者に対する検査結果情報が無いと判断されると（ステップＳ３のＮＯ）、ステップＳ１に戻り、再度、操作部５に対する操作者の入力操作に応じて対象患者が決定される（ステップＳ１）。
【００３５】
一方、対象患者に対する検査結果情報が有ると判断されると（ステップＳ３のＹＥＳ）、画像生成部８により線量情報データベースが作成される（ステップＳ４）。この線量情報データベースは、対象患者において検査ごとの検査結果情報から被曝線量画像Ｇ１の生成に必要な線量情報を復元して管理するためのものであり、画像生成部８内に構築される。
【００３６】
ステップＳ４の作成が完了すると、線量情報データベースに基づいて画像生成部８により被曝線量画像Ｇ１が生成され（ステップＳ５）、さらに、対象患者に対する位置決め画像Ｇ２が画像記憶部７から検索される（ステップＳ６）。
【００３７】
ステップＳ６の検索が完了すると、対象患者に対する位置決め画像Ｇ２の有無が判断され（ステップＳ７）、対象患者に対する位置決め画像Ｇ２が有ると判断されると（ステップＳ７のＹＥＳ）、その位置決め画像Ｇ２が表示部４により表示される（ステップＳ８）。一方、対象患者に対する位置決め画像Ｇ２が無いと判断されると（ステップＳ７のＮＯ）、人体モデル画像が表示される（ステップＳ９）。
【００３８】
ここで、人体モデル画像は、人の体形をあらわす人体モデルを平面で示す被検体画像である。この人体モデル画像としては、対象患者の年齢と同じ年齢の平均体形をあらわす人体モデル画像を用いることが好ましい。例えば、対象患者の年齢に応じて、年齢ごとの人体モデル画像から一つの人体モデル画像を選択して用いることが可能である。なお、年齢ごとの人体モデル画像は、例えば画像記憶部７に記憶されている。
【００３９】
ステップＳ８又はステップＳ９の表示が完了すると、被曝線量画像Ｇ１が表示部４により位置決め画像Ｇ２上に重ねられて表示される（ステップＳ１０）。このとき、被曝線量画像Ｇ１が位置決め画像Ｇ２上に表示されると共に、位置決め画像Ｇ２の隣には、線量チャートＧ３が表示される（図２ないし図５参照）。
【００４０】
ここで、対象患者の検査結果情報が複数存在する場合には、検査ごとに検査結果情報から線量情報を求めて被曝線量画像Ｇ１を生成する（図２ないし図４参照）。この場合には、操作部５に対する操作者の入力操作に応じて、検査ごとの被曝線量画像Ｇ１を切り替えて表示することになる。また、全ての検査結果情報からトータルの線量情報を求め、その線量情報を元にトータルの被曝線量画像Ｇ１を生成して表示するようにしても良い（図５参照）。
【００４１】
このような画像生成処理によれば、検査結果情報から線量情報が求められ、その線量情報に基づいて検査部位に対応する被曝領域Ｒ１及びその被曝領域Ｒ１内の被曝線量を示す被曝線量画像Ｇ１が生成される。その後、被曝線量画像Ｇ１が位置決め画像Ｇ２上に重ねられて表示され、さらに、線量チャートＧ３も位置決め画像Ｇ２の隣に表示される。このようにして、被曝線量画像Ｇ１が医師や患者などの利用者により視認可能となるため、利用者は被曝線量画像Ｇ１の領域から対象患者の被曝領域Ｒ１を直感的に把握することができ、さらに、被曝線量画像Ｇ１の色の違い（色相や彩度、明度の違い）から、対象患者の被曝線量の強弱を直感的に把握することができる。
【００４２】
以上説明したように、本実施形態によれば、被検体に対するＸ線の線量情報に応じて、被検体の被曝領域Ｒ１及びその被曝領域Ｒ１内の被曝線量を示す被曝線量画像Ｇ１を生成し、その生成した被曝線量画像Ｇ１を被検体画像である位置決め画像Ｇ２上に表示する。これにより、医師や患者などの利用者は、表示された被曝線量画像Ｇ１を見て、その被曝線量画像Ｇ１から被検体の被曝領域Ｒ１及び被曝線量の強弱を認識することが可能となるので、被検体の被曝領域Ｒ１及び被曝線量の強弱を直感的に把握することができる。
【００４３】
また、位置決め画像Ｇ２は被検体の体形を平面で示すＸ線画像である。この位置決め画像Ｇ２は被検体を撮像したものであり、被検体の体形を正確に示すため、人体モデル画像を用いた場合に比べ、被検体の体形に対する被曝領域Ｒ１の位置をより正確に把握することができる。
【００４４】
また、被曝線量に応じて色を変えて被曝線量画像Ｇ１を生成することから、医師や患者などの利用者は被曝線量画像Ｇ１の色の違い（色相や彩度、明度の違い）から被曝線量の強弱をより直感的に把握することができる。なお、色に限らず、例えば、被曝線量に応じて塗りつぶしパターンを変えて被曝線量画像Ｇ１を生成しても良いが、色を用いた方が直感的な把握をより確実に実現することができる。
【００４５】
また、被曝線量画像Ｇ１及び位置決め画像Ｇ２に加え、Ｘ線の線量値の大きさを色の変化で示す線量チャートＧ３を表示することから、線量チャートＧ３から被曝線量画像Ｇ１の線量値の大きさを把握することができる。ただし、被曝線量画像Ｇ１の色の違い（色相や彩度、明度の違い）から、例えば、色が濃いと被曝線量が高く、色が薄いと被曝線量が低いということを利用者が認識していれば、線量チャートＧ３が表示されない場合でも、被曝線量の強弱を直感的に把握することは可能である。
【００４６】
また、被検体に対する検査結果情報を元にＸ線の線量情報を求め、その線量情報から被曝線量画像Ｇ１を生成することから、被検体の過去の検査での被爆に関して、被検体の被曝領域Ｒ１及び被曝線量の強弱を直感的に把握することができる。
【００４７】
また、被検体に対する複数の検査結果情報を組み合わせてＸ線の線量情報を求め、その線量情報から被曝線量画像Ｇ１を生成することから、被検体の過去の各検査での被爆に関して、被検体の被曝領域Ｒ１及び被曝線量の強弱を直感的に把握することができる。
【００４８】
ここで、医用画像撮像装置には、位置決め画像Ｇ２を用いてＸ線照射器に供給する最適な管電流を算出する機能、例えば、Ｒｅａｌ−ＥＣと呼ばれる機能がある。このため、被検体の各部位の体厚に合ったＸ線量を自動的に計算し、回転ごとにＸ線量を細かく制御することが可能である。これにより、高画質を維持しつつ不要な被曝を抑え、被曝低減を実現することができる。この機能を用いた場合には、Ｘ線の線量値は細かく変動することになる。
【００４９】
この場合には、図７に示すように、被曝線量画像Ｇ１は、被曝領域Ｒ１内の体軸方向の被曝線量変化を示す画像となる。すなわち、画像生成部８は、被曝領域Ｒ１内の体軸方向の被曝線量変化を示す被曝線量画像Ｇ１を生成することになる。これにより、被曝領域Ｒ１内でも線量変化がある場合でも、その線量変化を示すことが可能となり、被検体の被曝領域Ｒ１、さらに、その被曝領域Ｒ１内で変化する被曝線量の強弱を直感的に把握することができる。
【００５０】
なお、前述の実施形態においては、線量チャートＧ３としては、例えば、色の変化（色相や彩度、明度の変化）により線量値の最大から最小までを示すチャートを用いているが、これに限るものではなく、例えば、塗りつぶしパターンを変えて線量値の最大から最小までを示すチャートを用いても良い。さらに、線量値の大きさに、その線量値を取得した検査日時（被曝日時）、すなわち検査日時から現在日時までの経過時間を加味して示すチャートを用いるようにしても良い。
【００５１】
例えば、図８に示すように、線量チャートＧ３は、縦方向に線量値の最大から最小まで、さらに、横方向に時間（Ｔｉｍｅ）の経過を色の変化（色相や彩度、明度の変化）により示す画像である。この画像では、横方向の一番右側を現在（Ｎｏｗ）としている。この線量チャートＧ３によれば、検査日時が古く線量値が小さくなるほど色が薄くなり、逆に、検査日時が新しく線量値が大きくなるほど色が濃くなる。
【００５２】
この線量チャートＧ３は画像生成部８による画像生成の色基準となり、画像生成部８は線量チャートＧ３内の色を用い、被曝線量に応じて色を変えて被曝線量画像Ｇ１を生成する。したがって、画像生成部８は、被検体に対する検査結果情報に含まれる検査日時、すなわち被爆日時を加味して被曝線量画像Ｇ１を生成することになる。
【００５３】
また、前述の実施形態においては、検査結果情報を元にＸ線の線量情報を生成し、その線量情報から被曝線量画像Ｇ１を生成しているが、これに限るものではなく、例えば、被検体に対する検査計画情報を元にＸ線の線量情報（予測線量情報）を求め、その予測線量情報から被曝線量画像Ｇ１を生成するようにしても良い。例えば、検査計画情報には、どのような撮像モードや照射強度（管電流値）で検査を行うか、また、被検体のどの部位（照射範囲）を検査するかなどの各種の情報が含まれている。
【００５４】
このような場合には、予測線量情報に基づく被曝線量画像Ｇ１が表示されるため、被検体の今後の検査での被爆に関して、被検体の被曝領域Ｒ１及び被曝線量の強弱を直感的に把握することができる。なお、前述のように一つの検査計画情報を用いて線量情報を生成するだけではなく、複数の検査計画情報を用いて線量情報を生成するようにしても良く、さらに、検査計画情報及び検査結果情報の両方を組み合わせて線量情報を生成するようにしても良い。それら両方を組み合わせた場合には、被検体の過去の検査での被曝と今後の検査での被爆とのトータルの被曝に関して、被検体の被曝領域Ｒ１及び被曝線量の強弱を直感的に把握することができる。
【００５５】
また、前述の実施形態においては、線量チャートＧ３としてグレースケールチャート又はカラーチャートなどの各種のチャートを採用しているが、例えば、操作部５に対する操作者の入力操作に応じて、それらのチャートを切り替えるようにしても良い。この場合には、例えば、線量チャートＧ３が赤色系のカラーチャートから青色系のカラーチャートに切り替えられると、被曝線量画像Ｇ１も赤色系から青色系により切り替えられる。したがって、線量チャートＧ３の表示色の切り替えに応じて被曝線量画像Ｇ１の表示色も切り替えられることになる。なお、部位（胸部や腹部、頭部など）ごとに被曝線量画像Ｇ１の表示色を変えるようにしても良い。この場合には、被曝線量画像Ｇ１の表示色に応じて線量チャートＧ３の表示色が切り替えられることになる。
【００５６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１    医用画像表示装置
４    表示部
８    画像生成部
Ｇ１  被曝線量画像
Ｇ２  位置決め画像
Ｇ３  線量チャート
【図１】
0005954766.tif 000002
【図２】
0005954766.tif 000003
【図３】
0005954766.tif 000004
【図４】
0005954766.tif 000005
【図５】
0005954766.tif 000006
【図６】
0005954766.tif 000007
【図７】
0005954766.tif 000008
【図８】
0005954766.tif 000009